(57)【要約】【課題】  面実装部品自動装着機により、面実装コネクタ部品であるレセプタクルを印刷配線基板上の所定位置にまで搬送するための面実装部品自動装着機の部品搬送用吸着ノズルによる該レセプタクルの吸着手段を提供する。【解決手段】  面実装部品自動装着機の部品搬送用吸着ノズルが当接する吸着部を該レセプタクルの長手方向の一方のハウジング側壁の上辺の略中央位置に、該ハウジング側壁の上辺を共有し一体に同時成型し、該吸着部、およびハウジング側壁の境界線に沿って屈曲自在とし、且つ、該吸着部の一辺を構成する境界線の対辺に突起を形成するとともに、レセプタクルの長手方向の他方のハウジング側壁に係止穴を配設し、該境界線に沿って吸着部を屈曲時に、該吸着部を係止可能に形成する。【選択図】  図１
2006302511.tif 000002
【特許請求の範囲】
【請求項１】
レセプタクルの上方からプラグを挿嵌する面実装コネクタにおいて、該レセプタクルを自動装着機により印刷配線基板上に装着時、部品搬送用吸着ノズルが当接する吸着面を、該レセプタクルの長手方向の一方のハウジング側壁の上辺を共有して一体に同時成型し、且つ、該吸着面、およびハウジング側壁の境界線に沿って屈曲自在に形成したことを特徴とする面実装コネクタ。
【請求項２】
請求項１に記載の面実装コネクタにおいて、吸着面の一辺を構成する境界線の該吸着面の対辺に突起を形成し、該境界線に沿って吸着面を屈曲時に、該突起により、レセプタクルハウジングの長手方向の他方の側壁に該吸着面を係止可能に形成したことを特徴とする面実装コネクタ。
【請求項３】
請求項１、または請求項２に記載の面実装コネクタにおいて、吸着面をレセプタクルの長手方向の一方のハウジング側壁上辺の略中央に配設したことを特徴とする面実装コネクタ。
【発明の詳細な説明】
【技術分野】
【０００１】
本発明は、印刷配線基板間を接続する面実装コネクタに関するもので、詳しくは、面実装コネクタのレセプタクルハウジングを構成する長手方向の側壁の一方に、面実装部品自動装着機による部品搬送用吸着ノズル先端が吸着可能な吸着面をハウジング側壁の上辺を共有し一体に同時成型し、且つ、該吸着面、およびハウジング側壁の境界線に沿って設けられた屈曲線に沿って、吸着面を屈曲自在に形成した面実装コネクタに関するものである。
【背景技術】
【０００２】
電子機器を構成する印刷配線基板に面実装部品を装着時、マガジンに収納され、またはテーピングされた所定の面実装部品を、面実装部品自動装着機のヘッドが把持し、印刷配線基板上の所定位置にまで搬送する必要がある。この際に多種で複雑な外郭形状、および多様な外形寸法の面実装部品のそれぞれに整合させた面実装部品自動装着機のヘッドを準備することなく、面実装部品の上面に平坦部を設け、該平坦部を面実装部品自動装着機のヘッド先端に設けられた部品搬送用吸着ノズルにより吸着させ、印刷配線基板上の所定位置に搬送するシステムが適用されている。
【０００３】
図２（ａ）は印刷配線基板上に実装されたコネクタのレセプタクルの従来技術による実施例を示す外観斜視図、図２（ｂ）は側面図である。レセプタクル１１はハウジング側壁１２を含む四側面、および底面がプラスチック部材により構成された箱状のハウジングを形成し、天面はコネクタプラグを挿入可能とするよう開放されている。該レセプタクル１１の天面の開口部に挿入されるテープ状のＦＰＣ（Ｆｌｅｘｉｂｌｅ  Ｐｒｉｎｔｅｄ  Ｃａｂｌｅ）１６に印刷された多数の導電路に接触し、電気接続を成すための発条性を有する金属部材により構成された多数のＦＰＣ接触子（図示せず）がレセプタクル１１内に収容され、各接触子はハウジング底面に配設された対応する半田付け端子１５に導かれている。図２（ｂ）中に示す１７は、ＦＰＣの挿抜時に、柔軟なＦＰＣを損傷させないためにＦＰＣを挟持するためのＦＰＣ把持部である。
【０００４】
コネクタ部品ではレセプタクルの上部からプラグを挿入するため、レセプタクル上部をプラグの移動経路として開放構造にする必要がある。したがって、前記面実装部品自動装着機の部品搬送用吸着ノズルが、面実装部品であるレセプタクル上面を吸着し、印刷配線基板上の所定位置にまで搬送することが不可能となる。この課題に対しては、実開平５−３１１８８により着脱自在構造の吸着用補助具を装着する考案がなされている。さらには、特開平９−１１５５９１に見られるごとく、レセプタクル内の多数の端子列の中央付近に仕切りを設け、該仕切りの上面に面実装部品自動装着機の部品搬送用吸着ノズルが当接可能な吸着面を備える考案がなされている。
【０００５】
前記の実開平５−３１１８８では、用済み後に着脱自在構造の吸着用補助具を取り外す作業を必要とし、また、取り外した吸着用補助具を廃棄することによる地球環境に対する負荷増大という課題をも抱える。一方、特開平９−１１５５９１では、レセプタクル内の多数の端子列の中央付近に仕切りを設け、該仕切りの上面を面実装部品自動装着機の部品搬送用吸着ノズルにより吸着し、印刷配線基板上の所定位置にまで搬送するため、少なくとも部品搬送用吸着ノズルの外径よりも該仕切りの幅寸法を大きくする必要がある。該仕切りが存在するレセプタクル内の部分には端子を配設することが出来ず、特に部品の高密度実装が要求される小型コネクタで問題となる。
【０００６】
このため、図３（ａ）の外観斜視図、および図３（ｂ）の側面図に示す従来技術による第１の実施例のごとく、プラスチック部材により構成される吸着用フィルム２３をハウジング側壁２２の上部端面を含むレセプタクル２１の上面に貼着し、面実装部品自動装着機の部品搬送用吸着ノズルが、面実装部品である該レセプタクル２１の上面に貼着された吸着用フィルム２３を吸着することにより、該レセプタクル２１を印刷配線基板上の所定位置にまで搬送する手段が実用化されている。レセプタクル２１が印刷配線基板上に装着されると、コネクタプラグを該レセプタクル２１に挿嵌するため、レセプタクル２１の天面を開放状態にする必要があり、レセプタクル２１から該吸着用フィルム２３を剥離する作業を必要とし、剥離された吸着用フィルム２３は不要物となり廃棄されるため、廃棄物が地球環境に対する負荷を増大させる。
【０００７】
図４は従来技術の第２の実施例で、図４（ａ）は外観斜視図、図４（ｂ）は側面図を示す。吸着用カバー３３がハウジング側壁３２、および対向するハウジング側壁の内面間に挿嵌され、レセプタクル３１、および吸着用カバー３３が一体に係止され、面実装部品自動装着機の部品搬送用吸着ノズルが、面実装部品である該レセプタクル３１の天面に係止された吸着用カバー３３を吸着し、印刷配線基板上の所定位置にまで搬送する。
【０００８】
レセプタクル３１が印刷配線基板上に装着されると、コネクタプラグを該レセプタクル３１に挿嵌するために、レセプタクル３１の天面を開放状態にする必要があり、前記の従来技術の第１の実施例と同様に、レセプタクル３１から吸着用カバー３３を取り外し、取り外された該吸着用カバー３３は廃棄され、地球環境への負荷を増大させる。
【特許文献１】特開平９−１１５５９１  「コネクタ」
【特許文献２】実開平５−３１１８８  「コネクタの吸着用補助具および吸着対応型コネクタ」
【発明の開示】
【発明が解決しようとする課題】
【０００９】
面実装部品自動装着機の部品搬送用吸着ノズルにより面実装コネクタのレセプタクルを吸着し、印刷配線基板上の所定位置にまで搬送するため、レセプタクル内の多数の端子列の中央に仕切りを設け、該仕切りの上部天面に面実装部品自動装着機の部品搬送用吸着ノズルによる当接を可能とする吸着面を備える従来技術による手段では、該仕切りの幅寸法を少なくとも部品搬送用吸着ノズルの外径よりも大きくする必要がある。該仕切りが存在するレセプタクル内の部分にはコネクタ端子を配設することが出来ず、特に部品の高密度実装が要求される小型のコネクタで問題となる。
【００１０】
また、上記課題を解決する手段としてレセプタクルのハウジング側壁の上部端面に部品搬送用吸着ノズルによる吸着面を具備する手段としての吸着用フィルムの貼着、または吸着用カバーの配設は、レセプタクルを印刷配線基板上の所定位置に装着後は不要物となり、吸着用フィルム、または吸着用カバーの取り外し作業を必要とし、取り外された不要物の廃棄が地球環境に対する負荷の増大を招く。
【課題を解決するための手段】
【００１１】
上方からプラグをレセプタクルに挿嵌する面実装コネクタにおいて、該レセプタクルを面実装部品自動装着機により印刷配線基板上に装着時、部品搬送用吸着ノズルが当接する吸着面を該レセプタクルの長手方向の一方のハウジング側壁の上辺の略中央位置に、該ハウジング側壁の上辺を共有し一体に同時成型し、該吸着面、およびハウジング側壁の境界線に沿って屈曲自在とし、且つ、該吸着面の一辺を構成する境界線の対辺に突起を形成し、該境界線に沿って吸着面を屈曲時に、レセプタクルハウジングの長手方向の他方の側壁に該突起により該吸着面を係止可能に形成する。
【発明の効果】
【００１２】
面実装部品自動装着機の部品搬送用吸着ノズルが当接する吸着面を、面実装コネクタのレセプタクルハウジングを構成する長手方向の側壁の一方の上辺に、ハウジング側壁と一体に同時成型し、且つ、該吸着面、およびハウジング側壁の境界線に沿って設けられた屈曲線に沿って、吸着面を屈曲自在に形成することにより、従来技術の実施例に見られる別体の吸着用フィルムをレセプタクルの上部に貼着し、または吸着用カバーをレセプタクル側壁間に挿嵌する場合に必要とする該レセプタクルを面実装印刷配線基板に実装後に吸着用フィルムや吸着用カバーの取り外し作業が廃止可能となり、また、取り外された不要物である廃棄物が地球環境への負荷の増大となることをも防止することが出来る。
【発明を実施するための最良の形態】
【００１３】
図１は、本発明による実施例であり、図１（ａ）はレセプタクルの外観斜視図を示している。レセプタクル１を構成する四側面のうちの長手方向の一方のハウジング側壁２の上部の略中央位置に、面実装部品自動装着機の部品搬送用吸着ノズルの外径よりも大きい吸着面３ａを有する吸着部３を、ハウジング側壁２の上辺を共有し一体に成型している。
【００１４】
図１（ｂ）は吸着部３の拡大斜視図、図１（ｃ）は、図１（ａ）中に鎖線Ｃ−Ｃで示す切断線に沿って切断した拡大縦断面図である。ハウジング側壁２の上辺を共有し一体に成型されている吸着部３は、図１（ｂ）、または図１（ｃ）に示すハウジング側壁２の上方への延長線方向に自立しているが、吸着部３、およびハウジング側壁２との境界線部分は薄肉成型されているため、該境界線に沿って吸着部３は屈曲自在となり、該境界線はヒンジ３ｃとしての機能を果たすことができる。したがって、ヒンジ３ｃを図１（ｂ）、または図１（ｃ）中に示す鎖線矢印に沿って屈曲させることにより、吸着部３のヒンジ３ｃの対辺に設けられた吸着部突起３ｂが、係止穴４に係止される。
【００１５】
レセプタクル１の上方に向かい自立した吸着部３をヒンジ３ｃに沿ってレセプタクル１の内方に向かい屈曲させることにより、吸着部３の先端の吸着部突起３ｂが係止穴４に捕捉され、固定される。この状態では図１（ａ）に示すごとく、吸着部３の外面が上方に面し、吸着部３の吸着面３ａは、面実装部品自動装着機の部品搬送用吸着ノズルにより吸着可能な状態となる。
【００１６】
図１（ａ）中に矢印で示すごとく、面実装部品自動装着機の部品搬送用吸着ノズル７が下降し、吸着面３ａに当接すると、部品搬送用吸着ノズル７内は負圧に維持されているため、部品搬送用吸着ノズル７の先端の吸気穴に吸着面３ａが吸着固定され、レセプタクル１は部品搬送用吸着ノズル７により懸吊されながら、面実装印刷配線基板上の所定位置にまで安定に搬送される。
【００１７】
また、吸着部３をレセプタクル１の長手方向のハウジング側壁２の一方の略中央に配設することにより、レセプタクル１全体の重心位置、および面実装部品自動装着機の部品搬送用吸着ノズル７の延長線を一致させるか、または、接近させることになり、吸着面３ａを介して部品搬送用吸着ノズル７により懸吊され、搬送されるレセプタクルの傾きを回避し、または、面実装部品自動装着機の部品搬送用吸着ノズル７の先端で吸着されているレセプタクル１が搬送中の振動、および移動開始時、または停止時の慣性により部品搬送用吸着ノズル７の先端から振り落とされることを防止することが出来る。
【００１８】
レセプタクル１の吸着面３ａが面実装部品自動装着機の部品吸着ノズル７により、吸着懸吊され、面実装印刷基板上の所定位置に搬送され装着されると、コネクタプラグ、またはＦＰＣをレセプタクル１の上部からレセプタクル１内に挿嵌するために、レセプタクル１の上部を開放する必要があり、捕捉されている吸着部突起３ｂを係止穴４から開放する。開放された吸着部３はヒンジ３ｃを構成するプラスチック部材が有する弾性により、原状に復し自立する。自立した状態では何らの障害なしにコネクタプラグ、またはＦＰＣをレセプタクル１に挿嵌することができる。
【産業上の利用可能性】
【００１９】
本発明では、面実装部品自動装着機の部品搬送用吸着ノズルにより面実装部品を把持し、面実装印刷配線基板上の所定位置に装着するする手段を、コネクタの構成要素であるレセプタクルを実施例として説明しているが、これに限定せず同様構造の他の面実装部品に適用して好適である。
【図面の簡単な説明】
【００２０】
【図１】本発明の実施例であるレセプタクルの（ａ）は外観斜視図、（ｂ）は吸着部の拡大斜視図、（ｃ）は（ａ）中に鎖線で示す切断線Ｃ−Ｃに沿って切断した縦断面図である。
【図２】レセプタクルハウジングについての従来技術の実施例で、（ａ）は外観斜視図、（ｂ）はレセプタクルへのＦＰＣ挿入後の側面図である。
【図３】従来技術の第１の実施例を示す（ａ）は外観斜視図、（ｂ）は縦断面図である。
【図４】従来技術の第２の実施例を示す（ａ）は外観斜視図、（ｂ）は縦断面図である。
【符号の説明】
【００２１】
１：  レセプタクル
２：  ハウジング側壁
３：  吸着部
３ａ：  吸着面
３ｂ：  吸着部突起
３ｃ：  ヒンジ
４：  係止穴
５：  半田付け端子
６：  ＦＰＣ接触子
７：  部品搬送用吸着ノズル
１１：  レセプタクル
１２：  ハウジング側壁
１５：  半田付け端子
１６：  ＦＰＣ
１７：  ＦＰＣ把持部
２１：  レセプタクル
２２：  ハウジング側壁
２３：  吸着用フィルム
２５：  半田付け端子
３１：  レセプタクル
３２：  ハウジング側壁
３３：  吸着用カバー
３５：  半田付け端子
【図１】
2006302511.tif 000003
【図２】
2006302511.tif 000004
【図３】
2006302511.tif 000005
【図４】
2006302511.tif 000006